(57)【要約】【課題】ファインダユニットの接眼部の下側に形成されたプリズムのハウジングの一部を裏ブタによって開閉されるカメラ本体の背面開口部内に配置して裏ブタで覆うことにより、裏ブタの強度を確保し、優れた外観を呈することができるカメラを提供する。【解決手段】ファインダユニット６２をカメラ本体４２のアパーチャ４６の上部に配置し、ファインダユニット６２の接眼部６２Ａをリアカバー本体３６で覆うとともに、カメラ本体４２の背面開口部４４内に突出して配置されたプリズム収容部６４Ｂを裏ブタ３８で覆う。これにより、裏ブタ３８の上縁部を切欠く必要がなくなり、裏ブタ３８の強度を確保できるとともに、優れた外観を呈することができる。【選択図】　　　図３
2004061655.tif 000002
【特許請求の範囲】
【請求項１】
裏ブタによって開閉されるカメラ本体の背面開口部に撮影用アパーチャを挟んでパトローネ室とフィルム巻取り室とが形成されたカメラにおいて、
ファインダユニットの接眼部の下側に形成されたプリズムのハウジングの一部を前記カメラ本体の背面開口部内に突出して配置するとともに、突出した前記プリズムのハウジングの一部を前記裏ブタで覆うことを特徴とするカメラ。
【請求項２】
前記裏ブタの内面には周縁部に沿って遮光溝が形成される一方、前記カメラ本体の背面開口部には前記遮光溝に嵌合する遮光溝が周縁部に沿って形成され、該遮光溝が前記カメラ本体の背面開口部内に突出して配置される前記プリズムのハウジングを回避して形成されていることを特徴とする請求項１に記載のカメラ。
【発明の詳細な説明】
【０００１】
【発明の属する技術分野】
本発明はカメラに係り、特に背面にファインダ接眼部とフィルム装填用の裏ブタを備えたカメラに関する。
【０００２】
【従来の技術】
特開昭６３−１７９３４０号公報等に記載されているように、実像式ファインダは、対物レンズで被写体の倒立実像を作り、正立プリズムを通して正立像とし、接眼レンズで拡大して見る形式のファインダである。この実像式ファインダでは、正立プリズムで光路を上下方向に展開すると、正立プリズムが下側に張り出した構成となり、このような構成の実像式ファインダを３５ミリフィルムカメラに組み込むと、正立プリズムを収容保持するカバーが裏ブタの上縁部にまで突出してしまう。従来のカメラでは、この裏ブタの上縁部にまで突出した正立プリズムのカバーをリアカバーで覆うとともに、裏ブタが突出部に当たらないようにするために、裏ブタの上縁部を一部切り欠いて形成していた。
【０００３】
【発明が解決しようとする課題】
しかしながら、裏ブタの一部を切り欠くと、裏ブタの強度が低下するとともに、外観を著しく損なうという欠点がある。
【０００４】
本発明はこのような事情に鑑みてなされたもので、裏ブタの強度を確保し、優れた外観を呈することができるカメラを提供することを目的とする。
【０００５】
【課題を解決するための手段】
請求項１に係る発明は、前記目的を達成するために、裏ブタによって開閉されるカメラ本体の背面開口部に撮影用アパーチャを挟んでパトローネ室とフィルム巻取り室とが形成されたカメラにおいて、ファインダユニットの接眼部の下側に形成されたプリズムのハウジングの一部を前記カメラ本体の背面開口部内に突出して配置するとともに、突出した前記プリズムのハウジングの一部を前記裏ブタで覆うことを特徴とするカメラを提供する。
【０００６】
また、請求項２に係る発明は、前記目的を達成するために、前記裏ブタの内面には周縁部に沿って遮光溝が形成される一方、前記カメラ本体の背面開口部には前記遮光溝に嵌合する遮光溝が周縁部に沿って形成され、該遮光溝が前記カメラ本体の背面開口部内に突出して配置される前記プリズムのハウジングを回避して形成されていることを特徴とする請求項１に記載のカメラを提供する。
【０００７】
本発明によれば、接眼部の下側に張り出して形成されたプリズムのハウジングを裏ブタで覆うことにより、裏ブタを切欠く必要がなくなり、裏ブタの強度を確保できるとともに、優れた外観を呈することができる。
【０００８】
【発明の実施の形態】
以下、添付図面に従って本発明に係るカメラの好ましい実施の形態について詳説する。
【０００９】
図１、図２には、それぞれ本発明に係るカメラの一実施形態を示す正面斜視図と背面斜視図である。
【００１０】
図１に示すように、カメラ１０の正面には、ほぼ中央位置に沈胴式のズームレンズ１２が配置されており、その上方位置にＡＦ窓１４、１４、測光窓１６、ファインダ窓１８、ストロボ２０が横方向に並べられて配置されている。また、カメラ１０の上面には、シャッターボタン２２、電源ボタン２４、液晶パネル２６等が配置されている。一方、図２に示すように、カメラ１０の背面にはファインダ接眼部２８とズームレバー３０とが配置されている。
【００１１】
このカメラ１０の外装は、フロントカバー３２とリアカバー３４とで構成されており、フロントカバー３２によってカメラ本体の正面部と外周部とが覆われ、リアカバー３４によってカメラ本体の背面部が覆われている。
【００１２】
リアカバー３４は、リアカバー本体３６と、そのリアカバー本体３６に対して開閉自在に設けられた裏ブタ３８とで構成されている。リアカバー本体３６は、カメラ本体の背面上縁部及び右縁部を覆うように形成されており、このリアカバー本体３６にファインダ接眼部２８とズームレバー３０とが設けられている。裏ブタ３８は、このリアカバー本体３６にヒンジ４０を介して開閉自在に設けられている。
【００１３】
図３は、裏ブタが開かれたカメラの背面斜視図である。裏ブタ３８を開くとカメラ本体４２の背面開口部４４が露出する。カメラ本体４２の背面開口部４４には、ほぼ中央位置に撮影用アパーチャ４６が形成されており、この撮影用アパーチャ４６を挟んでパトローネ室４８とフイルム巻取り室５０とが形成されている。図示しない３５ｍｍフィルムのパトローネは、パトローネ室４８に装填され、図示しない巻き上げ機構によってパトローネから引き出される。パトローネから引き出されたフィルムは、撮影用アパーチャ４６の上下に形成された一対の外側レール５２、５２に上縁部及び下縁部をガイドされながら給送され、フィルム巻取り室５０内に設けられたスプール５４に巻き取られる。この際、フイルムは裏ブタ３８の内側に設けられた圧板５８によって撮影用アパーチャ４６の上下に形成された一対の内側レール６０、６０に挟み付けられながら給送される。
【００１４】
ここで、図３及び図６に示すように、カメラ本体４２の背面開口部４４には、撮影用アパーチャ４６の上部位置に逆台形状の凸部が突出して形成されている。この凸部は、図４に示すように、カメラ本体４２の上部に設けられたファインダユニット６２のハウジング６４の一部であり、ファインダを構成する正立プリズムが収容されている。
【００１５】
ファインダは、図５に示すように、一対の対物レンズ６６Ａ、６６Ｂと正立プリズム６８とで構成されており、これらの光学部材がファインダユニット６２のハウジング６４内に収容されている。一対の対物レンズ６６Ａ、６６Ｂは、それぞれ光軸に沿って配置されたガイド棒７０にガイドされてハウジング６４の鏡筒部６４Ａ内をスライド自在に支持されている。一方、正立プリズム６８は、ハウジング６４のプリズム収容部６４Ｂに収容されており、その対物レンズ６６Ａ、６６Ｂ側にはリレーレンズ７２が一体的に取り付けられ、接眼部側には接眼レンズ７４が一体的に取り付けられている。一対の対物レンズ６６Ａ、６６Ｂは、図示しないカム機構によってズームレンズ１２のズーミングに連動して移動し、ズームレンズ１２と同じ倍率で変倍する。
【００１６】
図４及び図６に示すように、ファインダユニット６２は、接眼部６２Ａの下側にハウジング６４のプリズム収容部６４Ｂが突出して設けられており、このハウジング６４のプリズム収容部６４Ｂが、図３及び図６に示すように、カメラ本体４２の背面開口部４４内に突出して配置されている。そして、ファインダユニット６２は、接眼部６２Ａが、リアカバー本体３６に形成されたファインダ接眼部２８に覆われ、カメラ本体４２の背面開口部４４内に突出して配置されたハウジング６４のプリズム収容部６４Ｂが裏ブタ３８によって覆われる。
【００１７】
このように、ファインダユニット６２をカメラ本体４２の上部に設置した際、カメラ本体４２の背面開口部４４側に突出した部位は、裏ブタ３８で覆うことにより、裏ブタ３８には切欠きを形成する必要がなくなり、裏ブタ３８に十分な強度を持たせることができる。すなわち、ファインダユニット６２の端面全体をリアカバー本体３６で覆う構成とすると、その突出部との接触を回避するために、裏ブタ３８の上縁部を一部切り欠かなければならないが、本実施の形態のように、背面開口部４４側に突出した部位は、裏ブタ３８で覆う構成とすることにより、裏ブタ３８に切欠きを形成する必要がなくなり、裏ブタ３８の上縁部を直線で構成することができる。
【００１８】
また、このように裏ブタ３８に切欠きを設ける必要がなくなることにより、裏ブタ３８の上縁部を直線で構成することができ、優れた外観を呈することができる。
【００１９】
ところで、図３に示すように、カメラ本体４２の背面開口部４４と裏ブタ３８の内面には、それぞれ周縁部に遮光溝７６、７８が形成されており、裏ブタ３８を閉じると、互いの遮光溝７６、７８の山部と谷部とが嵌合するようにされている。これにより、閉じられた裏ブタ３８の隙間からカメラ本体４２内に外光が入るのが防止される。
【００２０】
ここで、この遮光溝７６、７８は、それぞれ周縁部に沿って形成されるとともに、プリズム収容部６４Ｂが突出した部位においてプリズム収容部６４Ｂを回避するように形成されている。すなわち、カメラ本体４２側に形成される遮光溝７６は、背面開口部４４の周縁に沿って形成されるとともに、プリズム収容部６４Ｂが突出した部位においてプリズム収容部６４Ｂの外形に沿って屈曲して形成されている。裏ブタ３８に形成された遮光溝７８もこれに対応して形成されており、プリズム収容部６４Ｂが突出した部位においてプリズム収容部６４Ｂの外形に沿って屈曲して形成されている。したがって、裏ブタ３８を閉じると、プリズム収容部６４Ｂは、遮光溝７６、７８の外側に配置された状態で裏ブタ３８に覆われる。これにより、カメラ本体４２の背面開口部４４内に突出して配置されたファインダユニット６２のプリズム収容部６４Ｂから外光が入射するのを防止でき、外光によるフィルムの露光を防止することができる。
【００２１】
このように、本実施の形態のカメラ１０によれば、カメラ本体４２の背面開口部４４内に突出して配置されたファインダユニット６２のプリズム収容部６４Ｂを裏ブタ３８で覆うことにより、裏ブタ３８に切欠きを形成する必要がなくなり、十分な強度を確保できるとともに、優れた外観を呈することができる。
【００２２】
なお、本実施の形態では、本発明を３５ｍｍフィルムを使用するカメラに適用した例で説明したが、ブローニーフィルムを使用するカメラにも適用することができる。
【００２３】
【発明の効果】
以上説明したように、本発明によれば、接眼部の下側に張り出して形成されたプリズムのハウジングを裏ブタで覆うことにより、裏ブタを切欠く必要がなくなり、裏ブタの強度を確保できるとともに、優れた外観を呈することができる。
【図面の簡単な説明】
【図１】カメラの正面斜視図
【図２】カメラの背面斜視図
【図３】裏ブタが開かれたカメラの背面斜視図
【図４】カメラ本体の上部の構成を示す斜視図
【図５】ファインダの構成を示す斜視図
【図６】カメラの断面部分拡大図
【符号の説明】
１０…カメラ、１２…ズームレンズ、１４…ＡＦ窓、１６…測光窓、１８…ファインダ窓、２０…ストロボ、２２…シャッターボタン、２４…電源ボタン、２６…液晶パネル、２８…ファインダ接眼部、３０…ズームレバー、３２…フロントカバー、３４…リアカバー、３６…リアカバー本体、３８…裏ブタ、４０…ヒンジ、４２…カメラ本体、４４…背面開口部、４６…撮影用アパーチャ、４８…パトローネ室、５０…フイルム巻取り室、５２…外側レール、５４…スプール、５８…圧板、６０…内側レール、６２…ファインダユニット、６２Ａ…ファインダユニットの接眼部、６４…ハウジング、６４Ａ…ハウジングの鏡筒部、６４Ｂ…ハウジングのプリズム収容部、６６Ａ、６６Ｂ…対物レンズ、６８…正立プリズム、７０…ガイド棒、７２…リレーレンズ、７４…接眼レンズ、７６、７８…遮光溝
【図１】
2004061655.tif 000003
【図２】
2004061655.tif 000004
【図３】
2004061655.tif 000005
【図４】
2004061655.tif 000006
【図５】
2004061655.tif 000007
【図６】
2004061655.tif 000008